(57)【要約】【課題】ライトアングルタイプの多段式のコネクタ部材において少なくとも２つの段の端子長を共通化する。【解決手段】コネクタ部材１０は、ハウジング１００、第１端子２１０、第２端子２２０を備え、第１端子２１０は、第１装着端２１１と、第１接続端２１４と、第１屈曲部２１２を有する第１本体部２１３と、を有し、第２端子２２０は、第２装着端２２１と、第２装着端から高さ方向に延び、次いで第２屈曲部２２２において所定角度で屈曲し、さらに前後方向に延びた第２本体部２２３と、第２本体部の先端に形成された第２接続端２２４と、を有し、第１端子２１０は、第２端子２２０と全長が等しく、第２端子と同一平面内に配置された場合に、第１屈曲部２１２が、第１装着端２１１が高さ方向に関して第２装着端２２１と同一位置となり、第１接続端２１４が前後方向に関して第２接続端２２４と同一位置となるように屈曲している。【選択図】図１
2019153493.tif 000002
【特許請求の範囲】
【請求項１】
ハウジングと、当該ハウジングにそれぞれ少なくとも一部が固定される、第１端子および第２端子とを備え、
前記第１端子は、第１装着端と、第１接続端と、前記第１装着端と前記第１接続端との間の、第１屈曲部を有する第１本体部と、を有し、
前記第２端子は、第２装着端と、当該第２装着端から第１の延在方向に延び、次いで第２屈曲部において所定角度で屈曲し、さらに第２の延在方向に延びた第２本体部と、当該第２本体部の先端に形成された第２接続端と、を有し、
前記第１端子は、前記第２端子と全長が等しく、前記第２端子と同一平面内に配置された場合に、前記第１屈曲部は、前記第１装着端が前記第１の延在方向に関して前記第２装着端と同一位置となり、前記第１接続端が前記第２の延在方向に関して前記第２接続端と同一位置となるように屈曲しているコネクタ部材。
【請求項２】
前記第１装着端と前記第２装着端には、それぞれ前記第１の延在方向に対して直交方向に突出した肩部を備え、前記第１装着端と前記第２装着端の肩部が、前記第１の延在方向に関して同一位置にある請求項１記載のコネクタ組立体。
【請求項３】
前記第１装着端と前記第２装着端には、それぞれ前記第１の延在方向に対して直交方向に膨出した膨出部と、当該膨出部を、前記第１の延在方向および当該膨出部が膨出した方向に対して垂直な方向に貫通した貫通孔と、を有するプレスフィット部が形成される請求項１または２記載のコネクタ部材。
【請求項４】
前記第１端子の外形が、前記第１屈曲部にＵ字形状の迂回部分を備えた形状であるのに対し、前記第２端子の外形がＬ字形状である請求項１から３いずれかに記載のコネクタ部材。
【請求項５】
前記第１端子と前記第２端子が同一平面内に配置される、請求項１から４いずれかに記載のコネクタ部材。
【発明の詳細な説明】
【技術分野】
【０００１】
本発明は、コネクタ部材、特に、コネクタ部材を基板に実装した際に、相手方コネクタとの嵌合面が基板と垂直となる、いわゆるライトアングルタイプの多段コネクタ部材に関する。
【背景技術】
【０００２】
下記特許文献１には、各リードが直角に形成され、当該各リードの先端に回路基板に対する接続端子が形成された複数種類のプラグ端子と、それら複数のプラグ端子を絶縁固着部で植設したコネクタであって、コネクタを基板面よりも低い位置に設定し低背化を実現するため、それぞれのリードを、接続端子が同一面上に位置するようにリードの曲げと長さを変えて形成するコネクタの従来技術が開示されている。
【先行技術文献】
【特許文献】
【０００３】
【特許文献１】特許第４１８５１６８号公報
【発明の概要】
【発明が解決しようとする課題】
【０００４】
しかしながら、上記特許文献１に記載されたコネクタにおいては、ライトアングルタイプの多段コネクタを製造する場合に、それぞれの段の端子（リード）の全長が変わるため、それぞれの段に対応して別々の長さの端子を製造しなければならなかった。さらに、このコネクタの端子（リード）の接続端子がプレスフィット部を有している場合には、肩部が同一平面内に揃っていないと、端子を基板に押圧して装着する際に使用する冶具の構成が複雑になる可能性もある。
【０００５】
したがって、本発明は、ライトアングルタイプの多段式のコネクタ部材において少なくとも２つの段の端子長を共通化することを目的とする。
【課題を解決するための手段】
【０００６】
本発明の第１の態様は、
ハウジングと、当該ハウジングにそれぞれ少なくとも一部が固定される、第１端子および第２端子とを備え、
前記第１端子は、第１装着端と、第１接続端と、前記第１装着端と前記第１接続端との間の、第１屈曲部を有する第１本体部と、を有し、
前記第２端子は、第２装着端と、当該第２装着端から第１の延在方向に延び、次いで第２屈曲部において所定角度で屈曲し、さらに第２の延在方向に延びた第２本体部と、当該第２本体部の先端に形成された第２接続端と、を有し、
前記第１端子は、前記第２端子と全長が等しく、前記第２端子と同一平面内に配置された場合に、前記第１屈曲部は、前記第１装着端が前記第１の延在方向に関して前記第２装着端と同一位置となり、前記第１接続端が前記第２の延在方向に関して前記第２接続端と同一位置となるように屈曲しているコネクタ部材である。
【０００７】
また、本発明の第２の態様は、本発明の上記態様において、前記第１装着端と前記第２装着端には、それぞれ前記第１の延在方向に対して直交方向に突出した肩部を備え、前記第１装着端と前記第２装着端の肩部が、前記第１の延在方向に関して同一位置にあることを特徴とする。
【０００８】
また、本発明の第３の態様は、本発明の上記態様において、前記第１装着端と前記第２装着端には、それぞれ前記第１の延在方向に対して直交方向に膨出した膨出部と、当該膨出部を、前記第１の延在方向および当該膨出部が膨出した方向に対して垂直な方向に貫通した貫通孔と、を有するプレスフィット部が形成されることを特徴とする。
【０００９】
また、本発明の第４の態様は、本発明の上記態様において、前記第１端子の外形が、前記第１屈曲部にＵ字形状の迂回部分を備えた形状であるのに対し、前記第２端子の外形がＬ字形状であることを特徴とする。
【００１０】
また、本発明の第５の態様は、本発明の上記態様において、前記第１端子と前記第２端子が同一平面内に配置されることを特徴とする。
【発明の効果】
【００１１】
上記本発明の第１の態様によれば、コネクタ部材を構成する第１端子と第２端子を同一の金型で形成することが可能となる。
【００１２】
上記本発明の第２の態様によれば、同一平面内に位置する押圧部を有する治具によって第１装着端および第２装着端に形成された肩部を同時に押圧し、第１端子および第２端子を基板に装着することが可能となる。
【００１３】
上記本発明の第３の態様によれば、同一の金型を用いてそれぞれプレスフィット部を有する第１端子と第２端子を形成することが可能となる。
【００１４】
また、上記本発明の第４の態様によれば、第１端子と第２端子の全長を同一にできることに加え、第１端子の第１装着端から第１屈曲部において屈曲が始まるまでの実質的距離を長くすることが可能となる。
【００１５】
また、本発明の第５の態様によれば、第１端子および第２端子を、高さ方向および前後方向に配列させた多段コネクタ部材を提供することが可能となる。
【図面の簡単な説明】
【００１６】
【図１】本実施形態のコネクタ部材１０の外観斜視図である。
【図２】図２（Ａ）は図１のコネクタ部材１０の正面図、図２（Ｂ）は図２（Ａ）のＢ−Ｂ線断面図である。
【図３】本実施形態のコネクタ部材１０の第１端子２１０および第２端子２２０を幅方向から見た場合の側面図を示す。
【図４】図４（Ａ）は、本実施形態のコネクタ部材１０の第１端子２１０の第１装着端２１１を前後方向前方から見た場合の正面図であり、図４（Ｂ）は本実施形態のコネクタ部材１０の第２端子２２０の第２装着端２２１を前後方向前方から見た場合の正面図である。
【図５】図１のコネクタ部材１０を基板３００に装着した状態を示す外観斜視図である。
【図６】第１装着端２１１Ａおよび第２装着端２２１Ａにプレスフィット部が形成されていないディップタイプの第１端子２１０Ａ、第２端子２２０Ａが基板３００Ａに接続された状態の、ディップタイプのコネクタ部材１０Ａの部分拡大図である。
【図７】端子２００Ｂが高さ方向に４段に配列された場合のコネクタ部材１０Ｂの外観斜視図である。
【図８】図７のコネクタ部材１０Ｂの第１フード１２０Ｂ部分を、前後方向および高さ方向を含む平面で切断した場合の断面図を示す。
【発明を実施するための形態】
【００１７】
以下、本実施形態のコネクタ部材１０を、図面を参照して説明する。なお、以下に説明する実施形態は、本発明のコネクタ部材１０の一例を説明するものであって、本発明をこのコネクタ部材１０に限定するものではなく、特許請求の範囲に記載された他の形態のコネクタ部材にも等しく適用されるべきものである。
【００１８】
図１は、本実施形態のコネクタ部材１０の外観斜視図である。図２（Ａ）はコネクタ部材１０の正面図、図２（Ｂ）は、図２（Ａ）のＢ−Ｂ線断面図である。図１、図２（Ａ）、図２（Ｂ）に示すように、本実施形態のコネクタ部材１０は、このコネクタ部材１０が基板に実装された際に、相手方コネクタとの嵌合面が基板と垂直となる、いわゆるライトアングルタイプの多段コネクタ部材である。コネクタ部材１０は、ハウジング１００と、複数の端子２００とを有する。ハウジング１００は絶縁性の樹脂で形成される。ハウジング１００は、平板状のベース１１０、ベース１１０から直交方向に後方に向かって突出した第１フード１２０および第２フード１３０を備える。ベース１１０は、所定高さおよび幅を有しており、前後方向に所定の肉厚を有している。なお、以下の説明では、ベース１１０に対して図１の紙面左手を「前方」、紙面右手を「後方」と呼び、図１の上方に向かう方向を「高さ方向」と呼び、また、前後方向および高さ方向の両方に直交する方向を「幅方向」と呼んで説明する。
【００１９】
ベース１１０は幅方向および高さ方向に広がる平板状の部材であり、前方側に前面１１１、後方側に後面１１２を有する。ベース１１０の前面１１１の幅方向両端部分には、前方に向けて所定長さ突出する支持壁１１３が設けられる。支持壁１１３の底面１１４は、前後方向に水平であり、このコネクタ部材１０が基板に装着された際に、基板上に配置される。さらに、底面１１４には下方に向けて突出した固定片１１５が設けられる。固定片１１５は、基板に対応して設けられた固定孔（図示せず）に挿入され、これにより、コネクタ部材１０が基板に堅固に固定される。
【００２０】
ベース１１０の前面１１１の中央部分下部には、補助支持壁１１６が、上述の支持壁１１３と平行に、前方に向けて突出して設けられている。補助支持壁１１６の底面には補助固定片１１７が下方に向けて突出する。補助固定片１１７も、上述した固定片１１５と同様に、基板に形成された固定孔（図示せず）に挿入され、コネクタ部材１０を基板に堅固に固定する働きをする。
【００２１】
ベース１１０の後面１１２には、上述したように、第１フード１２０および第２フード１３０が設けられる。第１フード１２０は、所定幅、所定高さ、および所定長さでベース１１０の後面１１２から後方に向けて突出する、内部が空洞の筒状部材であり、後部には後方に向けて開いた開口部１２１が形成される。第２フード１３０は、第１フード１２０と同様に、所定幅、所定高さ、および所定長さでベース１１０の後面１１２から後方に向けて突出する、内部が空洞の筒状部材であり、後部には後方に向けて開いた開口部１３１が形成される。第１フード１２０の高さおよび前後方向の長さは第２フード１３０の高さおよび前後方向の長さと同一であり、第１フード１２０と第２フード１３０は幅のみが異なる。しかし、第１フード１２０の幅と第２フード１３０の幅は同一であってもよいし、高さ、長さが第１フード１２０と第２フード１３０とで異なっていてもよい。第１フード１２０および第２フード１３０は、相手方コネクタ（図示せず）のハウジングに嵌合される。
【００２２】
端子２００は、ハウジング１００のベース１１０に高さ方向に複数段、幅方向に複数列配列される。なお本実施形態では、高さ方向に２段に端子が配列されている。また、幅方向には、下側に位置する端子（第１端子）が２２列（第１フード１２０に対応した部分に１３列、第２フード１３０に対応した部分に９列）に配列され、上側に位置する端子が１０列（第１フード１２０に対応した部分に６列、第２フード１３０に対応した部分に４列）に配列されている。なお、本実施形態においては下側の端子の列数と上側の端子の列数が異なっているが、同数であってもよい。高さ方向下側の段はそれぞれ形状の等しい第１端子２１０により構成されており、高さ方向上側の段の端子はそれぞれ形状の等しい第２端子２２０により構成されている。図３は、第１端子２１０および第２端子２２０を幅方向から見た場合の側面図を示す。図３に示すように、第１端子２１０は、第１装着端２１１と、第１接続端２１４と、第１装着端２１１と第１接続端２１４との間の、第１屈曲部２１２を有する第１本体部２１３と、を有する。
【００２３】
第２端子２２０は、第２装着端２２１と、当該第２装着端２２１から高さ方向（第１の延在方向）に延び、次いで第２屈曲部２２２において所定角度で屈曲し、さらに前後方向（第２の延在方向）に延びた第２本体部２２３と、当該第２本体部２２３の後端に形成された第２接続端２２４と、を有する。なお、第２屈曲部２２２の角度は、本実施形態においては９０度であるが、他の角度であってもよい。
【００２４】
ここで、第１端子２１０は第２端子２２０と全長が等しく、第１屈曲部２１２を除く部位の形状は第２端子２２０の第２屈曲部２２２を除く部位と同一の形状である。つまり、第１端子２１０は、第２端子２２０と同一平面内に配置された場合に、第１屈曲部２１２を除く部位が第２端子２２０の第２屈曲部２２２を除く部位と平行であり、かつ、第１屈曲部２１２は、第１装着端２１１が高さ方向（第１の延在方向）に関して第２端子２２０の第２装着端２２１と同一位置となり、第１接続端２１４が前後方向（第２の延在方向）に関して第２端子２２０の第２接続端２２４と同一位置となるように屈曲している。
【００２５】
なお、本実施形態では、第１端子２１０の外形が、第１屈曲部２１２にＵ字形状の迂回部分を備えた形状であるのに対し、第２端子２２０の第２屈曲部２２２の外形はＬ字形状となっている。具体的には、第１屈曲部２１２は、第１装着端２１１側から高さ方向上方に向かって延び、Ｕ字形状に折り返して高さ方向下方に向きを変えた装着端側屈曲部２１２ａと、装着端側屈曲部２１２ａに続いて緩やかなＬ字状或いはＪ字形状に屈曲または湾曲して前後方向後方に向きを変えた接続端側屈曲部２１２ｂとを含む。なお、第１端子２１０の第１屈曲部２１２の形状は、上記の形状に限定されず、３回以上屈曲させたような形状であってもよい。
【００２６】
次に、図４（Ａ）、図４（Ｂ）を参照して、第１端子２１０の第１装着端２１１の細部について説明する。なお、図４（Ａ）は、第１端子２１０の第１装着端２１１を前後方向前方から見た場合の正面図であり、図４（Ｂ）は第２端子２２０の第２装着端２２１を前後方向前方から見た場合の正面図である。第１端子２１０の第１装着端２１１には、幅方向（あるいは第１の延在方向に対し直交方向）に突出した肩部２１５が設けられる。さらに、第１装着端２１１には、肩部２１５よりも第１装着端２１１に近い側に、幅方向（あるいは第１の延在方向に対して直交方向）に膨出した膨出部２１６と、当該膨出部２１６を、前後方向に貫通した貫通孔２１７と、を有するプレスフィット部２１８が形成されている。
【００２７】
同様に、第２端子２２０の第２装着端２２１には、幅方向（あるいは第１の延在方向に対して直交方向）に突出した肩部２２５が設けられる。さらに、第２装着端２２１には、肩部２２５よりも第２装着端２２１に近い側に、幅方向（あるいは第１の延在方向に対して直交方向）に膨出した膨出部２２６と、当該膨出部２２６を、前後方向に貫通した貫通孔２２７と、を有するプレスフィット部２２８が形成されている。
【００２８】
本実施形態において、第１端子２１０と第２端子２２０の数は異なっているが同数であってもよい。第１端子２１０と第２端子２２０は、それぞれハウジング１００のベース１１０に、第１端子２１０の第１接続端２１４が第２端子２２０の第２接続端２２４よりも高さ方向下方に位置し、かつ、第１端子２１０の第１装着端２１１が第２端子２２０の第２装着端２２１よりも後方に位置するように固定され、これによりいわゆる２段のライトアングルコネクタとなる。すなわち、第１端子２１０は、第１本体部２１３の、第１接続端２１４と第１屈曲部２１２の間の部位が、ハウジング１００のベース１１０に、高さ方向下側において幅方向に一列に並ぶように固定される。一方、第２端子２２０は、第２本体部２２３の、第２接続端２２４と第２屈曲部２２２の間の部位が、ハウジング１００のベース１１０に、高さ方向上側において幅方向に一列に並ぶように固定される。
【００２９】
なお、第１端子２１０と第２端子２２０は、高さ方向および前後方向に広がる複数の同一平面内に配置されるが、本発明はそれに限定されず、互いに幅方向に異なる平面に配置されてもよい。いずれにしても、幅方向から見た場合に、すべての第１装着端２１１と第２装着端２２１とが高さ方向に関して同一位置となり、すべての第１接続端２１４と第２接続端２２４とが前後方向に関して同一位置となるように配置される。なお、この状態のときに、第１装着端２１１の肩部２１５と第２装着端２２１の肩部２２５とは、高さ方向に関して同一位置にある。つまり、第１端子２１０の肩部２１５と第２端子２２０の肩部２２５とは幅方向および前後方向を含む同一平面内（つまり同一水平面内）に位置する。これにより、コネクタ部材１０を基板に装着する際に肩部２１５、２２５を基板に対して押圧する冶具の押圧部を、同一平面内に揃えることができ、冶具の構造を簡略化できる。
【００３０】
図２（Ｂ）に示すように、第１端子２１０の第１接続端２１４と第２端子２２０の第２接続端２２４は、ハウジング１００の第１フード１２０に形成された開口部１２１、および第２フード１３０に形成された開口部１３１内に延在する。この第１フード１２０、第２フード１３０に相手方コネクタ（図示せず）が嵌合された際に、第１接続端２１４および第２接続端２２４は、相手方コネクタの雌コンタクトと接触し、電気的な導通が確立される。なお、第１端子２１０の第１接続端２１４と第２端子２２０の第２接続端２２４は、それぞれ第１フード１２０、第２フード１３０内において、前後方向に関して同一の位置にある。
【００３１】
次に、上記説明したコネクタ部材１０の組立方法を説明する。上述したように、コネクタ部材１０の第１端子２１０と第２端子２２０は、全長が同一であり、第１屈曲部２１２および第２屈曲部２２２を除く形状が同一である。したがって、第１端子２１０と第２端子２２０は、同一の金型を用いて成形することが可能である。まず、第１端子２１０は、所定の金型を用いて、肩部２１５、プレスフィット部２１８を有する第１装着端２１１、直線状の第１本体部２１３、第１接続端２１４を有するように金属平板から打ち抜かれる。同様に、第２端子２２０は、第１端子２１０を成形するのと同一の金型を用いて、肩部２２５、プレスフィット部２２８を有する第２装着端２２１、直線状の第２本体部２２３、第２接続端２２４を有するように金属平板から打ち抜かれる。この時点で第１端子２１０と第２端子２２０は同一形状である。
【００３２】
次いで、第１端子２１０と第２端子２２０は、圧入によりハウジング１００に固定されるが、インサート成形により固定されてもよい。つまり、第１端子２１０の第１本体部２１３、第２端子２２０の第２本体部２２３がハウジング１００のベース１１０に固定され、かつ、第１接続端２１４と第２接続端２２４が前後方向（第２の延在方向）に関して同一位置となるように、第１端子２１０と第２端子２２０をハウジング１００にのベース１１０に形成された圧入孔（図示せず）に圧入する。この時点で、第１端子２１０の第１接続端２１４と第２端子の第２接続端２２４はハウジング１００の第１フード１２０および第２フード１３０の内部に延在し、第１端子２１０の第１装着端２１１と第２端子２２０の第２装着端２２１は、ハウジング１００のベース１１０から前方に向かって真っすぐ延在した状態である。
【００３３】
さらに、ハウジング１００のベース１１０に第１端子２１０と第２端子２２０が部分的に固定された状態で、第１端子２１０の第１本体部２１３および第２端子２２０の第２本体部２２３を、マシンを使用して折り曲げ加工する。具体的には、第２端子２２０の第２本体部２２３にＬ字型の第２屈曲部２２２を形成する。同時に、第１本体部２１３に、第１装着端２１１が第２装着端２２１と高さ方向（第１の延在方向）に関して同一位置となるような第１屈曲部２１２を形成する。本実施形態では、第１屈曲部２１２はＵ字形状の迂回部分を有しているが、他の形状であっても構わない。
【００３４】
次いで、図５に示すように、コネクタ部材１０を基板３００に装着する。なお、図５は実施形態のコネクタ部材１０を基板３００に装着した状態を示す外観斜視図である。コネクタ部材１０を基板３００に装着するにあたり、第１端子２１０の第１装着端２１１の肩部２１５と、第２端子２２０の第２装着端２２１の肩部２２５は、高さ方向に関して同一位置にあるため、すべての端子２００の肩部２１５、２２５が同一平面内に揃っていることになる。そのため、同一平面内に押圧部を有する治具（図示せず）によってこれら肩部２１５、２２５を押圧することにより、第１端子２１０のプレスフィット部２１８と第２端子２２０のプレスフィット部２２８を基板３００に形成された圧入孔（図示せず）に一度に圧入することができる。第１端子２１０のプレスフィット部２１８と第２端子２２０のプレスフィット部２２８が基板３００の圧入孔に圧入されると、基板３００の配線パターンと第１端子２１０、第２端子２２０との電気的接続が確立される。
【００３５】
さらに、このとき、ハウジング１００の支持壁１１３に形成された固定片１１５、補助支持壁１１６に形成された補助固定片１１７が基板３００に対応して設けられた固定孔（図示せず）に挿入され、コネクタ部材１０が基板３００に堅固に固定される。
【００３６】
なお、上記実施形態においては、第１端子２１０の第１装着端２１１、および第２端子２２０の第２装着端２２１にそれぞれプレスフィット部２１８、２２８が形成されたプレスフィットタイプのものについて説明したが、本発明は上記のものに限られず、第１装着端２１１、および第２装着端２２１が、基板３００に設けられたスルーホールに挿通され、基板３００表面のパターンにはんだ付けされるいわゆるディップタイプのものであってもよい。
【００３７】
図６は、第１装着端２１１Ａおよび第２装着端２２１Ａにプレスフィット部が形成されていないディップタイプの第１端子２１０Ａ、第２端子２２０Ａが基板３００Ａに接続された状態の、ディップタイプのコネクタ部材１０Ａの部分拡大図である。コネクタ部材１０Ａにおいて、第１端子２１０Ａの装着端２１１Ａ、第２端子２２０Ａの第２装着端２２１Ａ以外の構造は、図１から図５において説明したプレスフィットタイプのコネクタ部材１０と同一であるので、説明を省略する。図６に示すように、第１端子２１０Ａの第１装着端２１１Ａ、第２端子２２０Ａの第２装着端２２１Ａはそれぞれ膨出部がない棒状であって、基板３００Ａに形成されたスルーホールに挿通され、基板３００Ａ表面のパターンにはんだ３０５によってろう付けされている。なお、第１装着端２１１Ａ、第２装着端２２１Ａにはんだ付けを促進するための膨出部が形成されていてもよい。
【００３８】
また、上記実施形態においては、第１端子２１０、第２端子２２０が高さ方向に２段に配列されてハウジング１００のベース１１０に固定された場合について説明したが、本発明において端子２００が配列される方法は２段に限定されず、２段を超える数、例えば３段、あるいはそれ以上であってもよい。例えば、図７は、端子２００Ｂが高さ方向に４段に配列された場合のコネクタ部材１０Ｂの外観斜視図である。また、図８は図７のコネクタ部材１０Ｂの第１フード１２０Ｂ部分を、前後方向および高さ方向を含む平面で切断した場合の断面図を示す。
【００３９】
図７、図８に示すように、コネクタ部材１０Ｂのベース１１０Ｂには、高さ方向に４段に配列された端子２００Ｂが固定される。端子２００Ｂは、上記実施形態において説明した第１端子２１０、第２端子２２０とそれぞれ同一形状の第１端子２１０Ｂ、第２端子２２０Ｂに加え、第３端子２３０Ｂ、第４端子２４０Ｂを含む。
【００４０】
第１端子２１０Ｂは、第１装着端２１１Ｂ、第１接続端２１４Ｂ、第１屈曲部２１２Ｂを有する第１本体部２１３Ｂを含む。第２端子２２０Ｂは、第２装着端２２１Ｂ、第２接続端２２４Ｂ、第２屈曲部２２２Ｂを有する第２本体部２２３Ｂを含む。第３端子２３０Ｂは、第３装着端２３１Ｂ、第３接続端２３４Ｂ、第３屈曲部２３２Ｂを有する第３本体部２３３Ｂを含む。第４端子２４０Ｂは、第４装着端２４１Ｂ、第４接続端２４４Ｂ、第４屈曲部２４２Ｂを有する第４本体部２４３Ｂを含む。
【００４１】
ここで、第１端子２１０Ｂと第２端子２２０Ｂは、互いに全長が等しく、第１端子２１０Ｂは、第１屈曲部２１２Ｂが、第１装着端２１１Ｂが高さ方向（第１の延在方向）に関して第２端子２２０Ｂの第２装着端２２１Ｂと同一位置となり、第１接続端２１４Ｂが前後方向（第２の延在方向）に関して第２端子２２０Ｂの第２接続端２２４Ｂと同一位置となるように屈曲している。具体的には、第１端子２１０Ｂの外形が第１屈曲部２１２ＢにＵ字形状の迂回部分を備えた形状であるのに対し、第２端子２２０Ｂの第２屈曲部２２２Ｂの外形はＬ字形状となっている。
【００４２】
第３端子２３０Ｂの第３屈曲部２３２Ｂと第４端子２４０Ｂの第４屈曲部２４２ＢはＬ字形状である。そして、第３端子２３０Ｂの第３装着端２３１Ｂと第４端子２４０Ｂの第４装着端２４１Ｂは、高さ方向に関して第１端子２１０Ｂの第１装着端２１１Ｂ、および第２端子２２０Ｂの第２装着端２２１Ｂと同一位置にある。また、第３端子２３０Ｂの第３接続端２３４Ｂと第４端子２４０Ｂの第４接続端２４４Ｂは、前後方向に関して第１端子２１０Ｂの第１接続端２１４Ｂ、および第２端子２２０Ｂの第２接続端２２４Ｂと同一の位置にある。
【００４３】
第１端子２１０Ｂの第１装着端２１１Ｂ、第２端子２２０Ｂの第２装着端２２１Ｂ、第３端子２３０Ｂの第３装着端２３１Ｂ、第４端子２４０Ｂの第４装着端２４１Ｂにはそれぞれ肩部を備えるプレスフィット部（図示せず）が形成されている。これらの構成によりすべての端子の肩部が同一平面内に位置することになるため、このコネクタ部材１０Ｂを基板（図示せず）に装着する際に肩部を基板に対して押圧する治具の押圧部を、同一平面内に揃えることができ、治具の構造を簡略することができる。
【００４４】
なお、図７、８に示した４段のコネクタ部材１０Ｂにおいては、第１端子２１０Ｂと第２端子２２０Ｂは全長が等しく、同一の金型で形成することが可能である。しかし、第１端子２１０Ｂ、第２端子２２０Ｂ、第３端子２３０Ｂの全長を同一として同一の金型で形成し、第３端子２３０Ｂの第３屈曲部２３２ＢをＬ形状とするのに対し、第１端子２１０Ｂの第１屈曲部２１２Ｂ，および第２端子２２０Ｂの第２屈曲部２２２Ｂを、第１装着端２１１Ｂ、第２装着端２２１Ｂが高さ方向に関して第３端子２３０の第３装着端２３１Ｂと同一位置となり、第１接続端２１４Ｂ、第２接続端２２４Ｂが前後方向に関して第３端子２３０Ｂの第３接続端２３４Ｂと同一位置となるように屈曲させてもよい。
【００４５】
上記のコネクタ部材１０においては、ハウジング１００のベース１１０に２つのフードが形成された例を説明したが、フードの数は１つであってもよいし、３以上であってもよい。
【符号の説明】
【００４６】
１０、１０Ａ、１０Ｂ    コネクタ部材
１００    ハウジング
１１０、１１０Ｂ    ベース
１１１    前面
１１２    後面
１１３    支持壁
１１４    底面
１１５    固定片
１１６    補助支持壁
１１７    補助固定片
１２０、１２０Ｂ    第１フード
１２１    開口
１３０    第２フード
１３１    開口
２００    端子
２１０、２１０Ａ、２１０Ｂ    第１端子
２１１、２１１Ａ、２１１Ｂ    第１装着端
２１２、２１２Ｂ    第１屈曲部
２１２ａ    装着端側屈曲部
２１２ｂ    接続端側屈曲部
２１３、２１３Ｂ    第１本体部
２１４、２１４Ｂ    第１接続端
２１５    肩部
２１６    膨出部
２１７    貫通孔
２１８    プレスフィット部
２２０、２２０Ａ、２１０Ｂ    第２端子
２２１、２２１Ａ    第２装着端
２２２    第２屈曲部
２２３    第２本体部
２２４    第２接続端
２２５    肩部
２２６    膨出部
２２７    貫通孔
２２８    プレスフィット部
２３０Ｂ    第３端子
２３１Ｂ    第３装着端
２３２Ｂ    第３屈曲部
２３３Ｂ    第３本体部
２３４Ｂ    第３接続端
２４０Ｂ    第４端子
２４１Ｂ    第４装着端
２４２Ｂ    第４屈曲部
２４３Ｂ    第４本体部
２４４Ｂ    第４接続端
３００、３００Ａ    基板
３０５Ａ    はんだ
【図１】
2019153493.tif 000003
【図２】
2019153493.tif 000004
【図３】
2019153493.tif 000005
【図４】
2019153493.tif 000006
【図５】
2019153493.tif 000007
【図６】
2019153493.tif 000008
【図７】
2019153493.tif 000009
【図８】
2019153493.tif 000010